(57)【要約】      （修正有）【課題】電源コードをコード保持具にて巻き取り、プラグの収納に当たっては、栓刃の変形をなくしてプラグの保持を簡単確実にできる電源コード付器具のプラグ保持装置の提供。【解決手段】器具１の裏面下方に所定間隔を有して一対のコード保持具５ａ、５ｂが横方向に取り付けられている。コード保持具５ａ、５ｂはコード３を巻き取る本体部５１、コード３の脱落を防ぐ鍔部５２、コード保持具を器具１に取付ネジ６によって装着するネジ孔部５３、回り止め用の突部５４がＡＢＳ樹脂成型によって一体的に形成されている。コード保持具５ａ、５ｂに電源プラグ２の一対の栓刃２１を遊挿する挿入溝７が設けられている。具体的には、一対のコード保持具５ａ、５ｂの対向する内面部分にネジ孔部５３を挟んだ上下で、且つ器具１の外表面に向かう方向に設けられる。【選択図】図２
0003120528.tif 000002
【実用新案登録請求の範囲】
【請求項１】
器具から導出した電源コードを巻き付けるコード保持具を該器具外表面に所定間隔をおいて装着したものにおいて、前記一対のコード保持具のそれぞれには、前記電源コード先端の電源プラグの栓刃を遊挿する挿入溝を設けると共に、該挿入溝は、前記一対のコード保持具のそれぞれの対向する面で且つ前記器具外表面に向かう方向に設けられていることを特徴とする電源コード付器具のプラグ保持装置。
【考案の詳細な説明】
【技術分野】
【０００１】
本考案は、主として一般家庭において各種電気器具に付設している電源コード及び電源プラグを保持するための考案である。
【背景技術】
【０００２】
電源コード付器具を梱包箱に収納する時など、電源コードやその先端に付いている電源プラグの保持・収納処理に困るという問題があった。従来から知られているものとして、コードの処理として一対のフックを設け、このフックにコードを巻き付けて処理しているのが一般的である。この場合コード先端の電源プラグはフリーの状態になっている。
【０００３】
一方、電源プラグを保持する手段として、器具に一対の挟持用の突起を設け、この突起の間にプラグを挟みこんで保持したり、プラグ栓刃を挿入するためのスリットを器具本体に設けたものが提案されている。（特許文献１参照）
【０００４】
【特許文献１】実開平３−８６５７５号公報
【考案の開示】
【考案が解決しようとする課題】
【０００５】
上記した従来のうち、フックに巻き付けてコードを保持するものは、電源プラグがフリーの状態になっているので器具を箱に収納する際にコードがほどけたりプラグの栓刃が器具を傷つけたりしていた。
【０００６】
一方、特許文献１に示されているプラグを保持するものは、栓刃部分が外部に露出するので、栓刃が引っ掛かったり曲がったりする問題がある。また栓刃をスリットに挿入するものは、器具に対して直角に強く差し込む必要があり、栓刃の抜き差しが面倒であるし、器具本体自身にスリット等の細工をしなければならず、コスト的に好ましい方法ではない。しかも特許文献１のものは、コードの保持に紐等を用いて固定しなければならない問題もある。
【０００７】
本考案は上記の従来例の問題点に鑑みて考案したものであって、その目的とするところは、電源コードをコード保持具にて巻き取って保持し、プラグの収納に当たっては、栓刃の変形をなくしてプラグの保持が簡単確実にできる電源コード付器具のプラグ保持装置を提供するにある。
【課題を解決するための手段】
【０００８】
本考案は、器具から導出した電源コードを巻き付けるコード保持具を該器具外表面に所定間隔をおいて装着したものにおいて、前記一対のコード保持具のそれぞれには、前記電源コード先端の電源プラグの栓刃を遊挿する挿入溝を設けると共に、該挿入溝は、前記一対のコード保持具のそれぞれの対向する面で且つ前記器具外表面に向かう方向に設けられていることを特徴とする。
【考案の効果】
【０００９】
本考案は、電源コードを一対のコード保持具に巻き取って保持でき、そして電源プラグの栓刃を保持具に設けた挿入溝に遊挿し収納したので、栓刃が外部に露出せず器具を箱に収納する際、栓刃によって器具を傷めることはない。
【００１０】
また栓刃の挿入溝は、それぞれの対向する面で且つ器具外表面に向かう方向に遊挿できるような大きさに形成したので、栓刃の抜き差しが簡単に行え、また抜き差し時に栓刃をこねて変形することも生じない。しかも挿入溝はコード保持具の製作時同時に形成できるので、実用的である。また挿入溝の位置は目に付かない部分に設けたことになるので、器具外観も損なうことがない。
【考案を実施するための最良の形態】
【００１１】
本考案のプラグ保持装置の一実施例を、図１〜図５に基づいて説明する。図１は本考案の一実施例の斜視図、図２は図１の要部拡大斜視図、図３は本考案に使用するコード保持具の斜視図、図４はコード保持具の裏面図、図５はコード保持具を電気器具に取り付けた状態の断面図で、図４のＡ−Ａ線で断面し矢印方向から見た図である。
【００１２】
電源コード付器具１としては、例えばパン生地を混練するパン生地捏ね機、パン生地を焼き上げるガス高速オーブン、電気発酵器等種々のものがあり、先端に電源プラグ２を有する電源コード３が器具１の外表面（裏面）に設けた孔４から導出してある。図１の実施例では電源コード付器具１としてパン生地捏ね機の例が示してある。
【００１３】
器具１の裏面下方に所定間隔を有して一対のコード保持具５ａ、５ｂが横方向に取り付けられている。コード保持具５ａ、５ｂはコード３を巻き取る本体部５１、コード３の脱落を防ぐ鍔部５２、コード保持具を器具１に取付ネジ６によって装着するネジ孔部５３、回り止め用の突部５４がＡＢＳ樹脂成型によって一体的に形成されている。
【００１４】
さらに本考案は、コード保持具５ａ、５ｂに電源プラグ２の一対の栓刃２１を遊挿する挿入溝７が設けられている。具体的には、一対のコード保持具５ａ、５ｂの対向する内面部分にネジ孔部５３を挟んだ上下で、且つ器具１の外表面に向かう方向に設けられている。しかも挿入溝７は栓刃２１が緩く挿入（遊挿）できるように栓刃２１の厚みや幅よりも大きな溝にしていると共に奥の方は図４に示すようにさらに広くして栓刃の遊びを設け、栓刃２１に予期せぬ外力が加わっても変形が押さえられるようにしている。
【００１５】
コード保持具５ａ、５ｂの器具１への装着は、まず突部５４を器具１の外表面に設けた穴（図示せず）に挿入し、取付ネジ６をネジ孔部５３を通して器具１にねじ込んで装着する。
【００１６】
器具１の穴４から導出した電源コード３は、一対のコード保持具５ａ、５ｂのそれぞれの本体部５１間で巻き取られて保持される。次にプラグ２の栓刃２１をどちらか一方のコード保持具５ａ（５ｂ）に設けた挿入溝７に遊挿する。挿入溝７は栓刃２１よりも大きいので、簡単に挿入保持することができる。
【００１７】
本考案はフリーな状態であった電源プラグ２を保持したので、器具１の不使用時等器具１を収納箱に収納する際のプラグの変形や器具への傷つけをなくすことが出来た。
【図面の簡単な説明】
【００１８】
【図１】本考案の一実施例を示す後方から見た器具の斜視図。
【図２】図１の要部拡大斜視図。
【図３】本考案に使用するコード保持具の斜視図。
【図４】同コード保持具の裏面図。
【図５】同コード保持具を器具に取り付けた状態の断面図で、図４の              Ａ―Ａ線で断面し矢印方向から見た図である。
【符号の説明】
【００１９】
１        器具
２        電源プラグ
３        電源コード
５ａ、５ｂ    コード保持具
６        取付ネジ
７        挿入溝
【図１】
0003120528.tif 000003
【図２】
0003120528.tif 000004
【図３】
0003120528.tif 000005
【図４】
0003120528.tif 000006
【図５】
0003120528.tif 000007